(57)【要約】      （修正有）【課題】出産を控えた妊婦に対して、妊娠後の事項に関する情報を提示する方法、プログラム及提示システムを提供する。【解決手段】方法は、クラスター分析の対象となる、妊娠及び出産に関する複数の第1質問項目についての第１回答を、複数の出産経験者から取得し、妊娠後の事項に関する複数の第２質問に対する第２回答を、出産経験者から取得し、第１回答に基づいて、クラスター分析を行い、出産経験者を、複数のクラスターに分類する。そして、第１質問項目についての妊婦回答を、妊婦から取得しＳ２３、妊婦回答に基づいて、妊婦をいずれかのクラスターに振り分けＳ２４、妊婦が振り分けられたクラスターに属する出産経験者の第２回答に基づいて、妊娠後の事項に関する情報を妊婦に提示するＳ２５。【選択図】図１１
2019128898.tif 000002
【特許請求の範囲】
【請求項１】
クラスター分析の対象となる、妊娠及び出産に関する複数の第1質問項目についての第１回答を、複数の出産経験者から取得する第１回答取得ステップと、
前記複数の第１質問項目とは異なる、妊娠後の事項に関する複数の第２質問に対する第２回答を、前記複数の出産経験者から取得する第２回答取得ステップと、
前記第１回答に基づいて、クラスター分析を行い、前記複数の出産経験者を、複数のクラスターに分類する分類ステップと、
前記複数の第１質問項目についての妊婦回答を、妊婦から取得する妊婦回答取得ステップと、
前記妊婦回答に基づいて、前記妊婦をいずれかのクラスターに振り分ける振り分けステップと、
前記妊婦が振り分けられたクラスターに属する前記出産経験者の前記第２回答に基づいて、前記妊娠後の事項に関する情報を前記妊婦に提示する提示ステップと、
を有することを特徴とする、妊娠後の事項に関する情報の提示方法。
【請求項２】
請求項１に記載の妊娠後の事項に関する情報の提示方法において、
前記第２質問は、産院選択に関する質問であり、
前記第２回答に基づいて、クラスター毎に、産院選択の際に重視した重視事項を特定する特定ステップを更に備え、
前記提示ステップでは、前記重視事項に基づいて、産院選択に関する情報を前記妊婦に提示することを特徴とする、妊娠後の事項に関する情報の提示方法。
【請求項３】
請求項１又は２に記載の妊娠後の事項に関する情報の提示方法であって、
前記提示ステップでは、妊娠から出産までを複数の期間に分け、前記期間のそれぞれに応じた前記妊娠後の事項に関する情報を前記妊婦に提示することを特徴とする、妊娠後の事項に関する情報の提示方法。
【請求項４】
請求項１から３のいずれか１項に記載の妊娠後の事項に関する情報の提示方法であって、
前記分類ステップでは、医療の介助を必要としない程度を示す変数と、妊娠と出産に関する情報を求める程度を示す変数によって複数の前記クラスターに分類することを特徴とする、妊娠後の事項に関する情報の提示方法。
【請求項５】
請求項４のいずれか１項に記載の妊娠後の事項に関する情報の提示方法であって、
前記妊婦が振り分けられうる前記クラスターは、第１クラスター、第２クラスター、第３クラスター、第４クラスター、第５クラスター、第６クラスターであり、
医療の介助を必要としない程度を示す第１軸と、前記第１軸と直交し、妊娠と出産に関する情報を求める程度を示す第２軸を有する座標において、
前記第２クラスターの中心座標は、前記第１軸及び前記第２軸の原点に最も近く、
前記第１クラスターの中心座標は、前記第２クラスターの中心座標よりも、前記第１軸の値が小さく、且つ、前記第２軸の値が小さく、
前記第３クラスターの中心座標は、前記第１軸の値が前記第２クラスターの中心座標よりも小さく、且つ、前記第２軸の値が前記第１クラスターの中心座標よりも０に近く、
前記第４クラスターの中心座標は、前記第２クラスターの中心座標よりも、前記第１軸の値が大きく、且つ、前記第２軸の値が小さく、
前記第５クラスターの中心座標は、前記第２クラスターの中心座標よりも、前記第１軸の値が大きく、且つ、前記第２軸の値が大きく、
前記第６クラスターの中心座標は、前記第１軸の値が前記第２クラスターの中心座標よりも大きく、且つ、前記第２軸の値が前記第５クラスターの中心座標よりも０に近いことを特徴とする、妊娠後の事項に関する情報の提示方法。
【請求項６】
請求項１から５のいずれか１項に記載の妊娠後の事項に関する情報の提示方法であって、
前記提示ステップでは、前記妊婦が振り分けられた前記クラスターとは異なる他のクラスターの特徴を前記妊婦に提示することを特徴とする、妊娠後の事項に関する情報の提示方法。
【請求項７】
請求項６に記載の妊娠後の事項に関する情報の提示方法であって、
前記妊婦が特定のクラスターに振り分けられた場合のみ前記他のクラスターの特徴を提示することを特徴とする、妊娠後の事項に関する情報の提示方法。
【請求項８】
請求項５に記載の妊娠後の事項に関する情報の提示方法であって、
前記妊婦が第１クラスター又は前記第４クラスターに振り分けられた場合には、
前記提示ステップにおいて、前記妊婦が振り分けられた前記クラスターとは異なる他のクラスターの特徴を前記妊婦に提示することを特徴とする、妊娠後の事項に関する情報の提示方法。
【請求項９】
請求項５又は８に記載の妊娠後の事項に関する情報の提示方法であって、
前記妊婦が第５クラスター又は前記第６クラスターに振り分けられた場合には、
前記提示ステップにおいて、前記妊婦が振り分けられた前記クラスターとは異なる他のクラスターの特徴を前記妊婦に提示しないことを特徴とする、妊娠後の事項に関する情報の提示方法。
【請求項１０】
請求項１から９のいずれか１項に記載の妊娠後の事項に関する情報の提示方法であって、
前記妊娠後の事項に関する情報は、前記妊婦が出産後に子供に着用させる使い捨ておむつの情報であることを特徴とする、妊娠後の事項に関する情報の提示方法。
【請求項１１】
入力部及び表示部を備えたコンピューターに、
妊娠及び出産に関する複数の第1質問項目についての妊婦回答を、妊婦から取得する妊婦回答取得処理と、
前記妊婦回答に基づいて、前記妊婦を、複数のクラスターのうちのいずれかのクラスターに振り分ける振り分け処理と、
前記妊婦が振り分けられたクラスターに属する出産経験者の第２回答に基づいて、妊娠後の事項に関する情報を前記妊婦に提示する提示処理と、
を実行させ、
前記複数のクラスター、及び、前記第2回答は、
クラスター分析の対象となる、前記複数の第1質問項目についての第１回答を、複数の出産経験者から取得する第１回答取得処理と、
前記複数の第1質問項目とは異なる、前記妊娠後の事項に関する複数の第２質問に対する第２回答を、前記複数の出産経験者から取得する第２回答取得処理と、
前記第１回答に基づいて、クラスター分析を行い、前記複数の出産経験者を、前記複数のクラスターに分類する分類処理と、
を実行することにより予め準備されている、
ことを特徴とする、妊娠後の事項に関する情報の提示プログラム。
【請求項１２】
妊娠及び出産に関する複数の第1質問項目についての妊婦回答を、妊婦から取得する妊婦回答取得部と、
前記妊婦回答に基づいて、前記妊婦を、複数のクラスターのうちのいずれかのクラスターに振り分ける振り分け部と、
前記妊婦が振り分けられたクラスターに属する出産経験者の第２回答に基づいて、妊娠後の事項に関する情報を前記妊婦に提示する提示部と、
を備え、
前記複数のクラスター、及び、前記第2回答は、
クラスター分析の対象となる、前記複数の第1質問項目についての第１回答を、複数の出産経験者から取得する第１回答取得処理と、
前記複数の第1質問項目とは異なる、前記妊娠後の事項に関する複数の第２質問に対する第２回答を、前記複数の出産経験者から取得する第２回答取得処理と、
前記第１回答に基づいて、クラスター分析を行い、前記複数の出産経験者を、前記複数のクラスターに分類する分類処理と、
を実行することにより予め準備されている、
ことを特徴とする、妊娠後の事項に関する情報の提示システム。
【発明の詳細な説明】
【技術分野】
【０００１】
本発明は、妊娠後の事項に関する情報の提示方法、妊娠後の事項に関する情報の提示プログラム、及び妊娠後の事項に関する情報の提示システムに関する。
【背景技術】
【０００２】
現在、情報を収集する方法としては多種多様の方法がある。例えば、特許文献１に示すように、一のユーザと他のユーザとが情報を共有し合う方法が知られている。
【先行技術文献】
【特許文献】
【０００３】
【特許文献１】特開２０１７−１６７７４１号
【発明の概要】
【発明が解決しようとする課題】
【０００４】
しかしながら、特許文献１の方法では、一のユーザと他のユーザとが情報を共有し合うため、必要な情報を必ずしも得られなかったり、不要な情報を得ることになったりしてしまう。特に、出産を控えた妊婦は、それぞれ妊娠や出産に関して多様な価値観を有しているため、必要とする情報が一のユーザと他のユーザと必ずしも同じとは限らず、また、妊娠後出産までの期間が限られているため、適切な情報を得ることが難しいという問題があった。
【０００５】
本発明は、上記のような従来の問題に鑑みてなされたものであって、その目的は、出産を控えた妊婦に対して、妊娠後の事項に関する情報を提示することにある。
【課題を解決するための手段】
【０００６】
上記目的を達成するための主たる発明は、クラスター分析の対象となる、妊娠及び出産に関する複数の第1質問項目についての第１回答を、複数の出産経験者から取得する第１回答取得ステップと、前記複数の第１質問項目とは異なる、妊娠後の事項に関する複数の第２質問に対する第２回答を、前記複数の出産経験者から取得する第２回答取得ステップと、前記第１回答に基づいて、クラスター分析を行い、前記複数の出産経験者を、複数のクラスターに分類する分類ステップと、前記複数の第１質問項目についての妊婦回答を、妊婦から取得する妊婦回答取得ステップと、前記妊婦回答に基づいて、前記妊婦をいずれかのクラスターに振り分ける振り分けステップと、前記妊婦が振り分けられたクラスターに属する前記出産経験者の前記第２回答に基づいて、前記妊娠後の事項に関する情報を前記妊婦に提示する提示ステップと、を有することを特徴とする、妊娠後の事項に関する情報の提示方法である。
本発明の他の特徴については、本明細書及び添付図面の記載により明らかにする。
【発明の効果】
【０００７】
本発明によれば、妊娠及び出産に関して自分と同じような考えを持っている出産経験者の情報をもとに、出産を控えた妊婦に対して、妊娠後の事項に関する情報を提示することができる。
【図面の簡単な説明】
【０００８】
【図１】図１Ａは、準備段階のシステム１００Ａの全体構成を示す図である。図１Ｂは、サーバー１０Ａの機能上の構成を示すブロック図である。
【図２】図２は、経験者を複数のクラスターに分類する処理の流れについて説明する図である。
【図３】図３Ａは、第１質問項目ＤＢ１２１ａに格納された第１質問項目である。図３Ｂは、第１質問項目ＤＢ１２１ａに格納された第１質問（経験者向け）である。
【図４】図４は、第１質問（経験者向け）を表示させた表示部２０ａについて説明する図である。
【図５】図５Ａは、第２質問ＤＢに格納された第２質問である。図５Ｂは、第２質問を表示させた表示部２０ａについて説明する図である。
【図６】図６は、取得した第１回答を説明する図である。
【図７】図７Ａは、第１回答の因子負荷行列について説明する図である。図７Ｂは、図７Ａの因子負荷行列の重みを説明する図である。
【図８】。図８Ａは、変数１を求める式（１）を説明する図である。図８Ｂは、変数２を求める式（２）を説明する図である。
【図９】図９Ａは、各クラスターの中心座標を示す図である。図９Ｂは、クラスター分析の結果を示す図である。
【図１０】図１０Ａは、妊娠後の事項に関する情報の提示システム１００Ｂの全体構成を示す図である。図１０Ｂは、サーバー１０Ｂの機能上の構成を示すブロック図である。
【図１１】図１１は、妊娠後の情報を提示する流れについて説明する図である。
【図１２】図１２Ａは、出産予定日の登録画面を説明する図である。図１２Ｂは、クラスター振り分けを行う開始ボタンＳを説明する図である。
【図１３】図１３Ａは、第１質問項目ＤＢ１２１ｂに格納された第１質問項目である。図１３Ｂは、妊婦向けの第１質問を表示させた状態の表示部３０ａの一例を示している。
【図１４】図１４は、第１質問項目ＤＢ１２１に格納された第１質問（妊婦向け）である。
【図１５】図１５Ａは、妊婦Ａによる第１質問項目に対する回答を説明する図である。図１５Ｂは、妊婦Ａの回答の変数１を求める式（１１）を説明する図である。図１５Ｃは、妊婦Ａの回答の変数２を求める式（１２）を説明する図である。
【図１６】図１６は、クラスター分布を示した図に座標Ａを加えた図である。
【図１７】図１７は、第３クラスターＣ３の表示Ｅ３を表示させた表示部３０ａについて説明する図である。
【図１８】図１８Ａは、特徴ＤＢに格納された各クラスターの特徴である。図１８Ｂは、妊娠後の情報ＤＢに格納されたクラスターに対応した妊娠後の情報である。
【図１９】図１９は、第１クラスターＣ１の表示Ｅ１を表示させた表示部３０ａについて説明する図である。
【図２０】図２０は、第２クラスターＣ２の表示Ｅ２を表示させた表示部３０ａについて説明する図である。
【図２１】図２１は、第４クラスターＣ４の表示Ｅ４を表示させた表示部３０ａについて説明する図である。
【図２２】図２２は、第５クラスターＣ５の表示Ｅ５を表示させた表示部３０ａについて説明する図である。
【図２３】図２３は、第６クラスターＣ６の表示Ｅ６を表示させた表示部３０ａについて説明する図である。
【図２４】図２４は、他のタイプ一覧表示ＥＡを説明する図である。
【発明を実施するための形態】
【０００９】
本明細書及び添付図面の記載により、少なくとも以下の事項が明らかとなる。  
クラスター分析の対象となる、妊娠及び出産に関する複数の第1質問項目についての第１回答を、複数の出産経験者から取得する第１回答取得ステップと、前記複数の第１質問項目とは異なる、妊娠後の事項に関する複数の第２質問に対する第２回答を、前記複数の出産経験者から取得する第２回答取得ステップと、前記第１回答に基づいて、クラスター分析を行い、前記複数の出産経験者を、複数のクラスターに分類する分類ステップと、前記複数の第１質問項目についての妊婦回答を、妊婦から取得する妊婦回答取得ステップと、前記妊婦回答に基づいて、前記妊婦をいずれかのクラスターに振り分ける振り分けステップと、前記妊婦が振り分けられたクラスターに属する前記出産経験者の前記第２回答に基づいて、前記妊娠後の事項に関する情報を前記妊婦に提示する提示ステップと、を有することを特徴とする、妊娠後の事項に関する情報の提示方法である。
【００１０】
このような妊娠後の事項に関する情報の提示方法によれば、妊娠及び出産に関して自分と同じような考えを持っている出産経験者の情報をもとに、出産を控えた妊婦に対して、妊娠後の事項に関する情報を提示することができる。
【００１１】
かかる妊娠後の事項に関する情報の提示方法であって、前記第２質問は、産院選択に関する質問であり、前記第２回答に基づいて、クラスター毎に、産院選択の際に重視した重視事項を特定する特定ステップを更に備え、前記提示ステップでは、前記重視事項に基づいて、産院選択に関する情報を前記妊婦に提示することが望ましい。
【００１２】
このような妊娠後の事項に関する情報の提示方法によれば、妊娠及び出産に関して自分と同じような考えを持っている出産経験者の情報をもとに、出産を控えた妊婦に対して、産院選択に関する適切な情報を提示することができる。
【００１３】
かかる妊娠後の事項に関する情報の提示方法であって、前記提示ステップでは、妊娠から出産までを複数の期間に分け、前記期間のそれぞれに応じた前記妊娠後の事項に関する情報を前記妊婦に提示することが望ましい。
【００１４】
このような妊娠後の事項に関する情報の提示方法によれば、妊婦は、それぞれ妊娠期間に応じた情報を得ることができる。
【００１５】
かかる妊娠後の事項に関する情報の提示方法であって、前記分類ステップでは、医療の介助を必要としない程度を示す変数と、妊娠と出産に関する情報を求める程度を示す変数によって複数の前記クラスターに分類することが望ましい。
【００１６】
このような妊娠後の事項に関する情報の提示方法によれば、妊娠及び出産に関して自分と同じような考えを持っている出産経験者の情報をもとに、出産を控えた妊婦に対して、妊娠後の事項に関する情報を提示することができる。
【００１７】
かかる妊娠後の事項に関する情報の提示方法であって、前記妊婦が振り分けられうる前記クラスターは、第１クラスター、第２クラスター、第３クラスター、第４クラスター、第５クラスター、第６クラスターであり、医療の介助を必要としない程度を示す第１軸と、前記第１軸と直交し、妊娠と出産に関する情報を求める程度を示す第２軸を有する座標において、前記第２クラスターの中心座標は、前記第１軸及び前記第２軸の原点に最も近く、前記第１クラスターの中心座標は、前記第２クラスターの中心座標よりも、前記第１軸の値が小さく、且つ、前記第２軸の値が小さく、前記第３クラスターの中心座標は、前記第１軸の値が前記第２クラスターの中心座標よりも小さく、且つ、前記第２軸の値が前記第１クラスターの中心座標よりも０に近く、前記第４クラスターの中心座標は、前記第２クラスターの中心座標よりも、前記第１軸の値が大きく、且つ、前記第２軸の値が小さく、前記第５クラスターの中心座標は、前記第２クラスターの中心座標よりも、前記第１軸の値が大きく、且つ、前記第２軸の値が大きく、前記第６クラスターの中心座標は、前記第１軸の値が前記第２クラスターの中心座標よりも大きく、且つ、前記第２軸の値が前記第５クラスターの中心座標よりも０に近いことが望ましい。
【００１８】
このような妊娠後の事項に関する情報の提示方法によれば、妊婦を適切なクラスターに分類することができる。
【００１９】
かかる妊娠後の事項に関する情報の提示方法であって、前記提示ステップでは、前記妊婦が振り分けられた前記クラスターとは異なる他のクラスターの特徴を前記妊婦に提示することが望ましい。
【００２０】
このような妊娠後の事項に関する情報の提示方法によれば、妊婦は他のクラスターの特徴について知ることができ、妊娠後の事項に関して見識を深めることができる。
【００２１】
かかる妊娠後の事項に関する情報の提示方法であって、前記妊婦が特定のクラスターに振り分けられた場合のみ前記他のクラスターの特徴を提示することが好ましい。
【００２２】
このような妊娠後の事項に関する情報の提示方法によれば、妊婦に対して適切な情報を提示することができる。
【００２３】
かかる妊娠後の事項に関する情報の提示方法であって、前記妊婦が第１クラスター又は前記第４クラスターに振り分けられた場合には、前記提示ステップにおいて、前記妊婦が振り分けられた前記クラスターとは異なる他のクラスターの特徴を前記妊婦に提示することが望ましい。
【００２４】
このような妊娠後の事項に関する情報の提示方法によれば、第１クラスターと第３クラスターに振り分けられた妊婦は、妊娠と出産に関する情報を求める程度が小さいクラスターであるため、他のクラスターの特徴を提示することで、妊娠と出産に関する見識を深めてもらうことができる。
【００２５】
かかる妊娠後の事項に関する情報の提示方法であって、前記妊婦が第５クラスター又は前記第６クラスターに振り分けられた場合には、前記提示ステップにおいて、前記妊婦が振り分けられた前記クラスターとは異なる他のクラスターの特徴を前記妊婦に提示しないことが望ましい。
【００２６】
このような妊娠後の事項に関する情報の提示方法によれば、第５クラスターと第６クラスターに振り分けられた妊婦は、妊娠と出産に関する情報を求める程度が大きいため、既に一定量の情報を有していると考えられる妊婦に対して適切な情報を提示することができる。
【００２７】
かかる妊娠後の事項に関する情報の提示方法であって、前記妊娠後の事項に関する情報は、前記妊婦が出産後に子供に着用させる使い捨ておむつの情報であることが望ましい。
【００２８】
このような妊娠後の事項に関する情報の提示方法によれば、妊婦は予め使い捨ておむつの情報を知ることができるため、出産前に準備しておくことが可能となる。また、各クラスターの特徴に適した使い捨ておむつを提示することができるため、数種類の使い捨ておむつの中から妊婦の考えに合致する使い捨ておむつを選択できる。
【００２９】
入力部及び表示部を備えたコンピューターに、妊娠及び出産に関する複数の第１質問項目についての妊婦回答を、妊婦から取得する妊婦回答取得処理と、前記妊婦回答に基づいて、前記妊婦を、複数のクラスターのうちのいずれかのクラスターに振り分ける振り分け処理と、前記妊婦が振り分けられたクラスターに属する出産経験者の第２回答に基づいて、妊娠後の事項に関する情報を前記妊婦に提示する提示処理と、を実行させ、前記複数のクラスター、及び、前記第２回答は、クラスター分析の対象となる、前記複数の第１質問項目についての第１回答を、複数の出産経験者から取得する第１回答取得処理と、前記複数の第１質問項目とは異なる、前記妊娠後の事項に関する複数の第２質問に対する第２回答を、前記複数の出産経験者から取得する第２回答取得処理と、前記第１回答に基づいて、クラスター分析を行い、前記複数の出産経験者を、前記複数のクラスターに分類する分類処理と、を実行することにより予め準備されている、ことを特徴とする、妊娠後の事項に関する情報の提示プログラムである。
【００３０】
このような妊娠後の事項に関する情報の提示プログラムによれば、妊娠及び出産に関して自分と同じような考えを持っている出産経験者の情報をもとに、出産を控えた妊婦に対して、妊娠後の事項に関する情報を提示することができる。
【００３１】
妊娠及び出産に関する複数の第１質問項目についての妊婦回答を、妊婦から取得する妊婦回答取得部と、前記妊婦回答に基づいて、前記妊婦を、複数のクラスターのうちのいずれかのクラスターに振り分ける振り分け部と、前記妊婦が振り分けられたクラスターに属する出産経験者の第２回答に基づいて、妊娠後の事項に関する情報を前記妊婦に提示する提示部と、を備え、前記複数のクラスター、及び、前記第２回答は、クラスター分析の対象となる、前記複数の第１質問項目についての第１回答を、複数の出産経験者から取得する第１回答取得処理と、前記複数の第１質問項目とは異なる、前記妊娠後の事項に関する複数の第２質問に対する第２回答を、前記複数の出産経験者から取得する第２回答取得処理と、前記第１回答に基づいて、クラスター分析を行い、前記複数の出産経験者を、前記複数のクラスターに分類する分類処理と、を実行することにより予め準備されている、ことを特徴とする、妊娠後の事項に関する情報の提示システムである。
【００３２】
このような妊娠後の事項に関する情報の提示システムによれば、妊娠及び出産に関して自分と同じような考えを持っている出産経験者の情報をもとに、出産を控えた妊婦に対して、妊娠後の事項に関する情報を提示することができる。
【００３３】
＝＝＝本実施形態＝＝＝
今回の妊娠後の事項に関する情報の提示方法には、２つの段階がある。出産経験者を対象として質疑応答等を行う準備段階と、妊婦を対象として質疑応答等を行う稼動段階である。
【００３４】
＜準備段階＞
まず、準備段階について説明する。図１Ａは、準備段階のシステム１００Ａの全体構成を示す図である。本実施形態において、経験者端末２０は有線又は無線のネットワーク４０を介して準備段階のサーバー１０Ａと通信することができる。以下は、準備段階のサーバー１０Ａと経験者端末２０を用いた例について説明するが、サーバー１０Ａや経験者端末２０を用いることなく、紙での情報のやり取りであってもよい。
【００３５】
経験者端末２０は、例えば、パーソナルコンピューターやスマートフォン、タブレット端末であり、入力部（不図示）、表示部２０ａ、通信部（不図示）を備えている。
【００３６】
サーバー１０Ａは、各種の処理を行い、その結果を経験者端末２０の表示部２０ａに表示させる。図１Ｂは、サーバー１０Ａの機能上の構成を示すブロック図である。本実施形態のサーバー１０Ａは、制御部１１ａ、記憶部１２ａ、通信部１３ａを有している。
【００３７】
制御部１１ａは、各部間のデータの受け渡しを行うとともに、端末全体の制御を行うものであり、ＣＰＵ（Ｃｅｎｔｒａｌ  Ｐｒｏｃｅｓｓｉｎｇ  Ｕｎｉｔ）が所定のメモリに格納されたプログラムを実行することによって実現される。
【００３８】
制御部１１ａは、第１回答取得部１１１ａ、第２回答取得部１１２ａ、分類部１１３ａを有している。第１回答取得部１１１ａは、第１質問に対する回答を経験者から取得する処理を行う。第２回答取得部１１２ａは、第２質問に対する回答を経験者から取得する処理を行う。分類部１１３ａは、第１回答に基づいてクラスター分析を行い、経験者を複数のクラスターに分類する処理を行う。
【００３９】
記憶部１２ａは、第１質問項目ＤＢ１２１ａ、第２質問ＤＢ１２２ａ、第２回答ＤＢ１２３ａを有している。第１質問項目ＤＢ１２１ａは、妊娠及び出産に関する複数の第１質問が格納されており、第１質問項目ＤＢと、第１質問（経験者向け）ＤＢと、第１質問（妊婦向け）ＤＢとが格納されている。第２質問ＤＢ１２２ａは、妊娠後の事項に関する複数の第２質問が格納されている。第２回答ＤＢは、第２質問に対する経験者による回答である。
【００４０】
まず、複数の出産経験者から第１回答及び第２回答を取得する。本実施形態において、出産経験者（以下、「経験者」ともいう。）は、出産した第一子が１歳以下の、日本国内の女性であり、４０人の経験者から、第１回答及び第２回答をそれぞれ得る。
【００４１】
図２は、経験者を複数のクラスターに分類する処理の流れについて説明する図である。図３Ａは、第１質問項目ＤＢ１２１に格納された第１質問項目である。図３Ｂは、第１質問項目ＤＢ１２１に格納された第１質問（経験者向け）である。図４は、第１質問（経験者向け）を表示させた表示部２０ａについて説明する図である。
【００４２】
経験者が所定のＵＲＬを入力する等して、プログラムを起動させると（Ｓ１）、経験者端末２０の表示部２０ａに、経験者向けの第１質問を表示する（Ｓ２）。図４には、経験者向けの第１質問を表示させた状態の表示部２０ａの一例を示している。
【００４３】
経験者向けの第１質問は、経験者を複数のクラスターに分類するための質問である。具体的には、図３Ａに示す第１質問項目について、図３Ｂに示す第１質問（経験者向け）の文言としたものである。なお、この第１質問（経験者向け）に対する回答を用いて６つのクラスターに分類する。
【００４４】
例えば、図４に示すように、経験者端末２０の表示部２０ａには、「Ｑ１  妊娠初期から理想のイメージを持っていた」という質問が表示され、「とてもそう思う」２１ａ、「ややそう思う」２１ｂ、「どちらともいえない」２１ｃ、「あまりそう思わない」２１ｄ、「全くそう思わない」２１ｅの５つの選択肢が表示される。
【００４５】
経験者が、経験者端末２０の操作によって何れかの選択肢を選択すると、第１回答取得部１１１ａは、ネットワーク４０を介して第１質問項目についての第１回答を取得する（Ｓ３）。同様に、図３Ｂに示すＱ２〜Ｑ７の質問を順に表示部２０ａに表示して、その回答を得ることで、Ｑ１〜Ｑ７の第１質問項目について７つの回答を取得する。
【００４６】
続いて、第２質問を表示部２０ａに表示する（Ｓ４）。図５Ａは、第２質問ＤＢに格納された第２質問である。図５Ｂは、第２質問を表示させた表示部２０ａについて説明する図である。図５Ｂには、第２質問を表示させた状態の表示部２０ａの一例を示している。
【００４７】
第２質問は、妊娠後の事項に関する複数の質問であり、具体的には、産院の選択や妊娠後の生活スタイル等に関する質問である。本実施形態においては、産院選択の際に重視した重視項目に関する情報である。第２質問の数は、所望の数に設定が可能である。本実施形態においては、約５０個の質問を用いている。
【００４８】
例えば、図５Ｂに示すように、経験者端末２０の表示部２０ａには、「Ｑ１１  人間や動物本来の力を生かして産むことを重視し、無理のない環境や姿勢で出産した」という質問が表示され、第２質問を表示し、「とてもそう思う」２１ａ、「ややそう思う」２１ｂ、「どちらともいえない」２１ｃ、「あまりそう思わない」２１ｄ、「全くそう思わない」２１ｅの５つの選択肢が表示される。
【００４９】
経験者が、経験者端末２０の操作によって何れかの選択肢を選択すると、第２回答取得部１１２ａは、ネットワーク４０を介して第２質問に対する第２回答を取得する（Ｓ５）。取得した第２回答は、第２回答ＤＢ１２３に格納され、後述の妊娠後の情報の提示に用いる。
【００５０】
そして、分類部１１３ａが経験者４０人を複数のクラスターに分類する（Ｓ６）。図６は、取得した第１回答を説明する図である。図６には、第１質問のＱ１〜Ｑ７について、Ｎｏ．１〜Ｎｏ．４０の４０人の経験者から得た各回答に対する回答値を示している。「とてもそう思う」という回答に対して回答値５、「ややそう思う」という回答に対して回答値４、「どちらともいえない」という回答に対して回答値３、「あまりそう思わない」という回答に対して回答値２、「全くそう思わない」という回答に対して回答値１としている。また、４０人の回答値について、それぞれの質問Ｑ１〜Ｑ７について、平均値と標準偏差を算出している。
【００５１】
以下の主因子分析及びクラスター分析は、既知の手法やソフトウェアを用いて行うことができる。図６に示す結果を用いて主因子分析を行い、Ｋａｉｓｅｒの正規化を伴うバリマックス法により回転を行うことにより得られた、Ｑ１〜Ｑ７の各質問についての因子負荷行列の結果を図７Ａに示している。図７Ａは、第１回答の因子負荷行列について説明する図である。図７Ｂは、図７Ａの因子負荷行列の重みを説明する図である。因子１は、医療の介助を必要としない程度を示す変数に対応し、因子２は、妊娠と出産に関する情報を求める程度を示す変数に対応する。第１回答の回答結果への因子１及び因子２の貢献度を調整するために、図７Ｂに示すようにそれぞれ重み（因子負荷量）を算出する。重み１の値が大きいほど医療の介助を必要としない程度が大きく、重み２の値が大きいほど妊娠と出産に関する情報を求める程度が大きい。
【００５２】
経験者４０人の回答について、各人のＱ１〜Ｑ７の回答、及びそれぞれの平均値、標準偏差、重み１及び重み２を用いて変数１と変数２を算出する。変数１は医療の介助を必要としない程度を示し、変数２は妊娠と出産に関する情報を求める程度を示す。図８Ａは、変数１を求める式（１）を説明する図である。図８Ｂは、変数２を求める式（２）を説明する図である。
【００５３】
例えば、経験者Ｎｏ．１の変数１は、式（１）を用いて、Ｑ１の回答が３、Ｑ２の回答が４、Ｑ３の回答が１、・・・であり、Ｑ１の平均値が３．２８で、標準偏差が１．１９、Ｑ２の平均値が２．１６で、標準偏差が１．１２、Ｑ３の平均値が２．４４で、標準偏差が１．１６、・・・、Ｑ１の重み１が−０．０１、Ｑ２の重み１が０．４１、Ｑ３の重み１が０．３９、・・・である場合には、Ｎｏ．１の変数１＝｛（３−３．２８）／１．１９｝×（−０．０１）＋｛（４−２．１６）／１．１２｝×０．４１＋｛（１−２．４４）／１．１６｝×０．３９＋・・・によって、Ｎｏ．１の変数１の軸における座標を特定することができる。
【００５４】
同様に、経験者Ｎｏ．１の変数２は、式（２）を用いて、Ｑ１の回答が３、Ｑ２の回答が４、Ｑ３の回答が１、・・・であり、Ｑ１の平均値が３．２８で、標準偏差が１．１９、Ｑ２の平均値が２．１６で、標準偏差が１．１２、Ｑ３の平均値が２．４４で、標準偏差が１．１６、・・・、Ｑ１の重み２が０．２５、Ｑ２の重み２が０．０７、Ｑ３の重み２が０．０９、・・・である場合には、Ｎｏ．１の変数１＝｛（３−３．２８）／１．１９｝×０．２５＋｛（４−２．１６）／１．１２｝×０．０７＋｛（１−２．４４）／１．１６｝×０．０９＋・・・によって、Ｎｏ．１の変数２の軸における座標を特定することができる。
【００５５】
経験者４０人（Ｎｏ．１〜Ｎｏ．４０）について、それぞれ座標を特定して、クラスター分析を行うと、図９Ａ及び図９Ｂに示す結果を得ることができる。図９Ａは、各クラスターの中心座標を示す図である。図９Ｂは、クラスター分析の結果を示す図である。クラスター分析は、非階層的クラスタリングのＫ−ｍｅａｎｓ法を用いて行い、予め６つのクラスターに分けることを特定して行う。
【００５６】
６つのクラスターは、第１クラスター（Ｃ１）、第２クラスター（Ｃ２）、第３クラスター（Ｃ３）、第４クラスター（Ｃ４）、第５クラスター（Ｃ５）、第６クラスター（Ｃ６）とする。図９Ａには、クラスター分析を行った結果として得られた各クラスターの中心座標を示している。
【００５７】
図９Ｂには、変数１を第１軸（縦軸）、第１軸と直交する変数２を第２軸（横軸）として、クラスター分析を行った結果を示している。中心Ｐ１は第１クラスターの中心座標、中心Ｐ２は第２クラスターの中心座標、中心Ｐ３は第３クラスターの中心座標、中心Ｐ４は第４クラスターの中心座標、中心Ｐ５は第５クラスターの中心座標、中心Ｐ６は第６クラスターの中心座標である。また、各中心（Ｐ１〜Ｐ６）の周りに点線の円形を示している。各円は、各クラスター（Ｃ１〜Ｃ６）における人数の割合を示しており、円形が多いクラスターは属する人数が多いことを示している。具体的には、第１クラスターＣ１に属する人の割合は５％、第２クラスターＣ２に属する人の割合は２５％、第３クラスターＣ３に属する人の割合は１０％、第４クラスターＣ４に属する人の割合は１６％、第５クラスターＣ５に属する人の割合は２３％、第６クラスターＣ６に属する人の割合は２２％である。
【００５８】
クラスター分析の結果、経験者を第１クラスターＣ１は「プロにおまかせ」タイプ、第２クラスターＣ２は「バランス派」タイプ、第３クラスターＣ３は「医療活用」タイプ、第４クラスターＣ４は「なんとなく自然派」タイプ、第５クラスターＣ５は「しっかり自己管理の自然派」タイプ、第６クラスターＣ６は「意識高め」タイプのいずれかに分類することができる。
【００５９】
第２クラスターＣ２の中心Ｐ２は、第１軸と第２軸の原点に最も近い。第１クラスターＣ１の中心Ｐ１は、中心Ｐ２よりも第１軸の値が小さく、且つ、第２軸の値が小さい。第３クラスターの中心Ｐ３は、第１軸の値がＰ２よりも小さく、且つ、第２軸の値がＰ１よりも０に近い、第４クラスターＣ４の中心Ｐ４は、Ｐ２よりも第１軸の値が大きく、且つ、第２軸の値が小さい。第５クラスターＣ５の中心Ｐ５は、Ｐ２よりも第１軸の値が大きく、且つ、第２軸の値が大きい。第６クラスターＣ６の中心Ｐ６は、第１軸の値がＰ２よりも大きく、且つ、第２軸の値がＰ５よりも０に近い。
【００６０】
＜稼動段階＞
続いて、稼動段階について説明する。図１０Ａは、妊娠後の事項に関する情報の提示システム１００Ｂの全体構成を示す図である。本実施形態において、妊婦端末３０は有線又は無線のネットワーク４０を介して稼動段階のサーバー１０Ｂと通信することができる。
【００６１】
妊婦端末３０は、例えば、パーソナルコンピューターやスマートフォン、タブレット端末であり、入力部（不図示）、表示部３０ａ、通信部（不図示）を備えている。
【００６２】
サーバー１０Ｂは、各種の処理を行い、その結果を妊婦端末３０の表示部３０ａに表示させる。図１０Ｂは、サーバー１０Ｂの機能上の構成を示すブロック図である。本実施形態のサーバー１０Ｂは、制御部１１ｂ、記憶部１２ｂ、通信部１３ｂを有している。
【００６３】
制御部１１ｂは、各部間のデータの受け渡しを行うとともに、端末全体の制御を行うものであり、ＣＰＵ（Ｃｅｎｔｒａｌ  Ｐｒｏｃｅｓｓｉｎｇ  Ｕｎｉｔ）が所定のメモリに格納されたプログラムを実行することによって実現される。
【００６４】
制御部１１ｂは、妊婦回答取得部１１４ｂ、振り分け部１１５ｂ、提示部１１６ｂを有している。妊婦回答取得部１１４ｂは、第１質問に対する回答を妊婦から取得する処理を行う。振り分け部１１５ｂは、妊婦をいずれかのクラスターに振り分ける処理を行う。提示部１１６ｂは、妊娠後の事項に関する情報を妊婦端末３０の表示部３０ａに表示させる処理を行う。
【００６５】
記憶部１２ｂは、第１質問項目ＤＢ１２１ｂ、特徴ＤＢ１２４ｂ、妊娠後の情報ＤＢ１２５ｂを有している。第１質問項目ＤＢ１２１ｂは、妊娠及び出産に関する複数の第１質問が格納されており、第１質問項目ＤＢと、第１質問（妊婦向け）ＤＢとが格納されている。特徴ＤＢ１２４ｂは、クラスター毎の妊婦の特徴に関する情報が格納されている。妊娠後の情報ＤＢ１２５ｂは、妊娠後の事項に関する情報が格納されている。
【００６６】
まず、妊婦をいずれかのクラスターへ振り分ける。本実施形態において「妊婦」とは、妊娠後から出産までの女性を対象としているが、必ずしもこれに限らない。例えば、妊娠を予定している妊娠前の女性や、妊娠後の女性であってもよい。
【００６７】
図１１は、妊娠後の情報を提示する流れについて説明する図である。まず、妊婦が、妊婦端末３０で、所定のＵＲＬを入力する等して、プログラムを起動させると（Ｓ２１）、図１２Ａ及び図１２Ｂに示すような画面がそれぞれ表示部３０ａに表示する（Ｓ２２）。図１２Ａは、出産予定日の登録画面を説明する図である。図１２Ｂは、クラスター振り分けを行う開始ボタンＳを説明する図である。妊婦は、図１２Ａ示す出産予定日を入力して登録し、図１２Ｂに示す開始ボタンＳを選択することで、図１３Ｂに示すような第１質問の表示へと進む。
【００６８】
図１３Ａは、第１質問項目ＤＢ１２１ｂに格納された第１質問項目である。図１３Ｂは、妊婦向けの第１質問を表示させた状態の表示部３０ａの一例を示している。図１４は、第１質問項目ＤＢ１２１に格納された第１質問（妊婦向け）である。妊婦向けの第１質問は、妊婦をいずれかのクラスターに振り分けるための質問である。図３Ｂの経験者向けの第１質問と同様に、図１３Ａに示す第１質問項目について、図１４に示す第１質問（妊婦向け）の文言を表示し、得られた回答を用いて、いずれかのクラスターに振り分ける。
【００６９】
例えば、図１３Ｂに示すように、妊婦端末３０の表示部３０ａには、「Ｑ１  妊娠初期から理想のイメージを持っている」という質問が表示され、「とてもそう思う」３１ａ、「ややそう思う」３１ｂ、「どちらともいえない」３１ｃ、「あまりそう思わない」３１ｄ、「全くそう思わない」３１ｅの５つの選択肢が表示される。
【００７０】
妊婦が、妊婦端末３０の操作によって何れかの選択肢を選択すると、妊婦回答取得部１１４ｂは、ネットワーク４０を介して第１質問項目についての第１回答を取得する（Ｓ２３）。同様に、図１３Ｂに示すＱ２〜Ｑ７の質問を順に表示部２０ａに表示して、その回答を得ることで、Ｑ１〜Ｑ７の第１質問項目について７つの回答を取得する。
【００７１】
例えば、妊婦Ａによる回答を図１５Ａに示す。図１５Ａは、妊婦Ａによる第１質問項目に対する回答を説明する図である。なお、回答については、「とてもそう思う」という回答に対して回答値５、「ややそう思う」という回答に対して回答値４、「どちらともいえない」という回答に対して回答値３、「あまりそう思わない」という回答に対して回答値２、「全くそう思わない」という回答に対して回答値１としている。また、図１５Ａに示す平均値、標準偏差、重み１及び重み２は、上述の経験者４０人による第１質問項目に対する回答から得られた結果である。
【００７２】
図１５Ｂは、妊婦Ａの回答の変数１を求める式（１１）を説明する図である。図１５Ｃは、妊婦Ａの回答の変数２を求める式（１２）を説明する図である。図１５Ｂ及び図１５Ｃに示すように、式（１１）及び式（１２）は、図８Ａ及び図８Ｂに示す式（１）及び式（２）とそれぞれ同じであり、妊婦Ａの回答の変数１及び変数２の算出方法は、経験者の回答の変数１及び変数２の算出方法と同様である。妊婦Ａの回答は、変数１＝１．６６４、変数２＝−１．５９７という結果を得られる。
【００７３】
図１６は、クラスター分布を示した図に座標Ａを加えた図である。図１６に示すように、座標Ａと各中心Ｐ１〜Ｐ６との距離を測定すると、座標Ａは、第３クラスターＣ３の中心Ｐ３との距離が最も小さい。そのため、妊婦Ａは、第３クラスターＣ３に属すると判定することができ、妊婦Ａを第３クラスターＣ３に振り分ける（Ｓ２４）。
【００７４】
その後、提示部１１６ｂは、妊婦Ａの妊婦端末３０の表示部３０ａに、第３クラスターＣ３に応じた妊娠後の情報を表示する（Ｓ２５）。図１７は、第３クラスターＣ３の表示Ｅ３を表示させた表示部３０ａについて説明する図である。
【００７５】
図１７に示すように、第３クラスターＣ３の表示Ｅ３には、第３クラスターＣ３の特徴Ｆ３と、第３クラスターＣ３に対応した妊娠後の情報Ｉ３が表示されている。
【００７６】
図１８Ａは、特徴ＤＢに格納された各クラスターの特徴である。特徴ＤＢに格納された各クラスターの特徴は、主にクラスター分析によって得られたクラスターの特徴によるものであるが、経験者の第２回答から反映させたものであってもよい。特徴Ｆ３には、特徴ＤＢ中のＣ３の「赤ちゃんの安全を守ったり、妊婦の負担を少なくするために、・・・」が表示される。
【００７７】
図１８Ｂは、妊娠後の情報ＤＢに格納されたクラスターに対応した妊娠後の情報である。妊娠後の情報ＤＢに格納されたクラスターに対応した妊娠後の情報は、経験者の第２回答に基づいた情報が、クラスター毎に準備されている。本実施形態においては、産院の選択に関する情報である。つまり、妊娠後の情報ＤＢに格納された情報は、第２回答に基づいて、クラスター毎に、産院選択の際に重視した重視事項を特定する処理による、重視事項に基づいた情報である。例えば、第３クラスターＣ３に分類された経験者は、第２質問の「Ｑ１３  先端化学や医療を活用することを重視し、医療体制が整っている病院で出産したい」について、「とてもそう思う」「ややそう思う」の回答が多い傾向があるため、妊娠後の情報ＤＢにおいてはＣ３として、「このタイプの先輩ママが産院選びで重視するのは、ハイリスク対応や緊急時などにも対応してくれる高度医療体制・・・」という情報を特定する処理を行い、妊娠後情報として格納されている。なお、この妊娠後の情報を特定し、格納する処理は準備段階において予め行われるものである。そして、妊娠後の情報Ｉ３として表示部３０ａに表示される。また、第３クラスターＣ３に限らず、各クラスターにおける妊娠後の情報が特定されて、妊娠後の情報ＤＢ１２５ｂに格納されている。
【００７８】
同様に、妊婦が第１クラスターＣ１に振り分けられた場合には図１９に示す表示Ｅ１、妊婦が第２クラスターＣ２に振り分けられた場合には図２０に示す表示Ｅ２、妊婦が第４クラスターＣ４に振り分けられた場合には図２１に示す表示Ｅ４、妊婦が第５クラスターＣ５に振り分けられた場合には図２２に示す表示Ｅ１、妊婦が第６クラスターＣ６に振り分けられた場合には図２３に示す表示Ｅ６をそれぞれ表示する。図１９は、第１クラスターＣ１の表示Ｅ１を表示させた表示部３０ａについて説明する図である。図２０は、第２クラスターＣ２の表示Ｅ２を表示させた表示部３０ａについて説明する図である。図２１は、第４クラスターＣ４の表示Ｅ４を表示させた表示部３０ａについて説明する図である。図２２は、第５クラスターＣ５の表示Ｅ５を表示させた表示部３０ａについて説明する図である。図２３は、第６クラスターＣ６の表示Ｅ６を表示させた表示部３０ａについて説明する図である。表示３と同様に、表示１、２、４、５、６は、それぞれクラスターに応じた特徴Ｆ１、Ｆ２、Ｆ４、Ｆ５、Ｆ６、と妊娠後の情報Ｉ１、Ｉ２、Ｉ４、Ｉ５、Ｉ６が表示される。
【００７９】
このように、妊婦は自身が振り分けられたクラスターに応じた妊娠後の情報を見ることができるため、妊娠や出産に関して同じような考えを持っている経験者の情報をもとに、妊娠後の情報を知ることができる。これによって、効率よく情報を得ることができるだけでなく、情報に対して共感しやすく、同じような考えの経験者がいるという安心感を得たりすることができる。出産を経験した人が有している情報には、出産を経験したからこそ知り得た情報が数多くあるため、出産を控えている妊婦にとっては、とても有用であり、とても信頼できる情報となる。また、妊婦は自身の出産についての環境や方法についての選択肢を広げることもできる。現在は、妊娠及び出産についての考え方が多種多様であり、妊娠及び出産に関する情報も玉石混交である。例えば、情報をできる限り多く得たいと考える人がいる一方で、最小限の情報でよいと考える人もいる。そのため、同じような考え方を有する経験者の情報を提示することで、妊婦は有用で信頼できる情報を得ることができ、自身の妊娠や出産を希望通りに進めるための参考にすることができる。
【００８０】
また、経験者に対する第２質問が産院選択に関する質問であり、妊娠後の情報Ｉ１〜Ｉ６が産院選択に関する情報であることがより好ましい。クラスター毎に考えの異なる妊婦がそれぞれ適切な情報を得ることができ、さらに、妊娠後から出産までの限られた期間で効率よく産院を選択する助けとなる。
【００８１】
表示Ｅ１〜Ｅ６の下部には、他タイプ参照ボタンＷがそれぞれ設けられている。他タイプ参照ボタンＷが選択されると、図２４に示すような他のタイプ一覧表示ＥＡを表示する。図２４は、他のタイプ一覧表示ＥＡを説明する図である。他のタイプ一覧表示ＥＡは、６つのクラスターの特徴を表示している。妊婦は、他のタイプ一覧表示ＥＡを見ることで、振り分けられた自分のクラスターだけでなく、他のクラスターの特徴についても知ることができるため、妊娠後の事項に関して見識を広げることができる。また、他のクラスターに関する有用な情報等を知るきっかけにすることができる。
【００８２】
なお、他のタイプ一覧表示ＥＡは、妊婦が振り分けられたクラスターが、特定のクラスターである場合のみ表示するものであってもよい。例えば、妊婦が第１クラスターＣ１又は第４クラスターＣ４に振り分けられた場合には、他のタイプ一覧表示ＥＡを表示させてもよい。第１クラスターＣ１及び第４クラスターＣ４に振り分けられた妊婦は、妊娠と出産に関する情報を求める程度が小さい傾向がある。そのため、他のクラスターの特徴を提示して、妊娠と出産に関する見識を深めてもらうきっかけにすることができる。一方、妊婦が第５クラスターＣ５又は第６クラスターに振り分けられた場合には、他のタイプ一覧表示ＥＡを表示させないものとしてもよい。第５クラスターＣ５及び第６クラスターＣ６に振り分けられた妊婦は、妊娠と出産に関する情報を求める程度が大きい傾向にあるため、既にある程度の情報を有していると考えられる妊婦に対しては、適切な情報を提示することができる。
【００８３】
また、本実施形態において、妊娠後の情報Ｉ１〜Ｉ６は、クラスター毎に１種類の情報を備えることにしたが、これに限られない。それぞれ妊娠から出産までを複数の期間に分け、それぞれの期間に応じた妊娠後の事項に関する事項を提示するものであってもよい。例えば、妊娠から出産までを、妊娠初期、妊娠中期、妊娠後期に分け、それぞれの期間の食事の注意点や運動、体重管理などの情報を提示するものであってもよい。
【００８４】
また、妊娠後の情報Ｉ１〜Ｉ６は、妊婦が出産後に子供に着用させる使い捨ておむつに関する情報であってもよい。妊婦は、出産前に使い捨ておむつの情報を知ることで、予め準備しておくことができる。また、各クラスターの特徴に適した使い捨ておむつを提示することができるため、数種類の使い捨ておむつの中から妊婦の考えに合致する使い捨ておむつを選択できる。例えば、医療の介助を必要としない程度が大きい第６クラスターＣ６に属する妊婦に対しては、オーガニックコットンで形成された使い捨ておむつの情報を提示することで、妊婦は、自身の志向に適した商品の選択をしやすくなる。
【００８５】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００８６】
上述の実施形態においては、経験者が経験者端末２０に入力した第１回答及び第２回答を、ネットワーク４０を介して第１回答取得部１１１ａ及び第２回答取得部１１２ａが取得するものとしたが、これに限られない。例えば、経験者が紙等に記入した第１回答及び第２回答を、第三者が記憶部１２ａに入力したものであってもよい。
【００８７】
さらに、上述の実施形態においては、経験者４０人による回答の結果に基づいて、クラスター分類及び妊娠後の情報の選択を行うものとしたが、これに限られない。例えば、逐次新たな経験者による第１回答及び第２回答を受け付けて、クラスター分類の各クラスターの中心座標及び妊娠後の情報を更新するものであってもよい。
【００８８】
また、上述の実施形態においては、制御部１１ｂ及び記憶部１２ｂをサーバー１０Ｂに備え、ネットワーク４０を介して妊婦端末３０の表示部３０ａに各表示を行うことにしたが、これに限られない。予め当該プログラムを備えた妊婦端末３０内の制御部１１ｂ及び記憶部１２ｂにおいて、各種処理を行ってもよい。
【００８９】
さらに、上記の実施形態は、プログラムが前述した各種の処理をコンピューター又はマイクロプロセッサに実行させることにより実現可能である。この場合、全ての処理をプログラムとして準備していてもよいし、一部の処理をハードウェアに処理させ残りの処理をプログラムとして準備していてもよい。
【００９０】
また、実行可能なプログラムが記憶された非一時的なコンピューター可読媒体（ｎｏｎ−ｔｒａｎｓｉｔｏｒｙ  ｃｏｍｐｕｔｅｒ  ｒｅａｄａｂｌｅ  ｍｅｄｉｕｍ  ｗｉｔｈ  ａｎ  ｅｘｅｃｕｔａｂｌｅ  ｐｒｏｇｒａｍ  ｔｈｅｒｅｏｎ）を用いて、コンピューターにプログラムを供給することも可能である。なお、非一時的なコンピューターの可読媒体の例は、磁気記録媒体（例えばフレキシブルディスク、磁気テープ、ハードディスクドライブ）、ＣＤ−ＲＯＭ（Ｒｅａｄ  Ｏｎｌｙ  Ｍｅｍｏｒｙ）等がある。
【００９１】
また、上述の実施形態においては、サーバー１０Ａ及び１０Ｂにおいて、それぞれ各種処理を実行させ、経験者端末２０、妊婦端末３０の表示部２０ａ、３０ａにそれぞれ表示させることにしたが、これに限られない。サーバー１０Ａと１０Ｂが１つのサーバーで、準備段階及び稼動段階の両方を行うものであってもよい。
【符号の説明】
【００９２】
１０Ａ  サーバー（準備段階）、１０Ｂ  サーバー（稼動段階）、
１１ａ  制御部、１１ｂ  制御部、
１１１ａ  第１回答取得部、１１２ａ  第２回答取得部、
１１３ａ  分類部、１１４ｂ  妊婦回答取得部、
１１５ｂ  振り分け部、１１６ｂ  提示部、
１２ａ  記憶部、１２ｂ  記憶部、
１２１ａ  第１質問項目ＤＢ、
１２２ａ  第２質問ＤＢ、１２３ａ  第２回答ＤＢ、
１２４ｂ  特徴ＤＢ、１２５ｂ  妊娠後の情報ＤＢ、
１３ａ  通信部、１３ｂ  通信部、
２０  経験者端末、２０ａ  表示部、
３０  妊婦端末（コンピューター）、３０ａ  表示部、
４０  ネットワーク、
１００Ａ  準備段階のシステム、
１００Ｂ  妊娠後の事項に関する情報の提示システム
Ｃ１  第１クラスター、Ｃ２  第２クラスター、
Ｃ３  第３クラスター、Ｃ４  第４クラスター、
Ｃ５  第５クラスター、Ｃ６  第６クラスター、
Ｐ１  中心（第１クラスターの中心座標）、Ｐ２  中心（第２クラスターの中心座標）、
Ｐ３  中心（第３クラスターの中心座標）、Ｐ４  中心（第４クラスターの中心座標）、
Ｐ５  中心（第５クラスターの中心座標）、Ｐ６  中心（第６クラスターの中心座標）、
Ｅ１  第１クラスターＣ１の表示、Ｅ２  第２クラスターＣ２の表示、
Ｅ３  第３クラスターＣ３の表示、Ｅ４  第４クラスターＣ４の表示、
Ｅ５  第５クラスターＣ５の表示、Ｅ６  第６クラスターＣ６の表示、
Ｆ１  第１クラスターＣ１の特徴、Ｆ２  第２クラスターＣ２の特徴、
Ｆ３  第３クラスターＣ３の特徴、Ｆ４  第４クラスターＣ４の特徴、
Ｆ５  第５クラスターＣ５の特徴、Ｆ６  第６クラスターＣ６の特徴、
Ｉ１  第１クラスターＣ１に対応した妊娠後の情報、
Ｉ２  第２クラスターＣ２に対応した妊娠後の情報、
Ｉ３  第３クラスターＣ３に対応した妊娠後の情報、
Ｉ４  第４クラスターＣ４に対応した妊娠後の情報、
Ｉ５  第５クラスターＣ５に対応した妊娠後の情報、
Ｉ６  第６クラスターＣ６に対応した妊娠後の情報、
Ｗ  他タイプ参照ボタン
【図１】
2019128898.tif 000003
【図２】
2019128898.tif 000004
【図３】
2019128898.tif 000005
【図４】
2019128898.tif 000006
【図５】
2019128898.tif 000007
【図６】
2019128898.tif 000008
【図７】
2019128898.tif 000009
【図８】
2019128898.tif 000010
【図９】
2019128898.tif 000011
【図１０】
2019128898.tif 000012
【図１１】
2019128898.tif 000013
【図１２】
2019128898.tif 000014
【図１３】
2019128898.tif 000015
【図１４】
2019128898.tif 000016
【図１５】
2019128898.tif 000017
【図１６】
2019128898.tif 000018
【図１７】
2019128898.tif 000019
【図１８】
2019128898.tif 000020
【図１９】
2019128898.tif 000021
【図２０】
2019128898.tif 000022
【図２１】
2019128898.tif 000023
【図２２】
2019128898.tif 000024
【図２３】
2019128898.tif 000025
【図２４】
2019128898.tif 000026